(57)【要約】      （修正有）【課題】複雑な配筋箇所において正確な鉄筋かぶり厚を測定できる。【解決手段】持ち手部大３と持ち手部小４を手に持ち、鉄筋コンクリート構造物を構築するための型枠の内面に型枠側基準部１を当て、目盛り側ガイド７と鉄筋側ガイド８に沿って徐々にスライドさせてかぶりを測定する最外縁鉄筋に鉄筋側測定部２を当てる。鉄筋かぶり厚さＬは基準部かぶり寸法読み取り箇所マーク１０もしくは持ち手部付近かぶり寸法読み取りマーク１２が示す基準部目盛り９もしくは持ち手部付近目盛り１１を読み取る。【選択図】図１
0003134672.tif 000002
【実用新案登録請求の範囲】
【請求項１】
鉄筋コンクリート構造物もしくは鉄骨鉄筋コンクリート構造物を構築する際の、型枠内面と鉄筋までの距離を測定するための鉄筋コンクリート構造物かぶり厚さ測定器具であって、型枠内面に当てる型枠側基準部（１）とかぶりを測定する鉄筋に当てる鉄筋側測定部（２）と器具を操作する持ち手部大（３）と持ち手部小（４）を備え、型枠側基準部（１）を型枠内面に当てた状態で鉄筋側測定部（２）を鉄筋の任意の位置にスライドさせることにより、型枠内面から測定点までの距離を鉄筋かぶり厚さ（L）として示すことができる目盛りを備えた鉄筋コンクリート構造物かぶり厚さ測定器具。
【請求項２】
請求項１に記載した鉄筋コンクリート構造物かぶり厚さ測定器具において、型枠側基準部（１）と鉄筋側測定部（２）の根元から測定点までの腕の長さ（L１）が６０ｍｍから１５０ｍｍまでの範囲の長さをもつことを特徴とする鉄筋コンクリート構造物かぶり厚さ測定器具。
【請求項３】
請求項１に記載した鉄筋コンクリート構造物かぶり厚さ測定器具において、鉄筋かぶり厚さとして表示する目盛りが基準部根元付近目盛り（９）と持ち手部付近目盛り（１１）に設けられたことを特徴とする鉄筋コンクリート構造物かぶり厚さ測定器具。
【請求項４】
請求項１に記載した鉄筋コンクリート構造物かぶり厚さ測定器具において、型枠側基準部（１）と基準部根元付近目盛りの先端部（１４）との水平離隔（L２）が０ｍｍから１５ｍｍまでの範囲の離隔をもつことを特徴とする鉄筋コンクリート構造物かぶり厚さ測定器具
【考案の詳細な説明】
【技術分野】
【０００１】
本考案は鉄筋コンクリート構造物もしくは鉄骨鉄筋コンクリート構造物を構築する際の型枠面と鉄筋との距離を測るための測定器具に関するものである。
【背景技術】
【０００２】
鉄筋コンクリート構造物もしくは鉄骨鉄筋コンクリート構造物を築造する際、型枠内面と鉄筋最外縁との距離は「かぶり厚さ」で表現され、構造物完成後の耐久性を決定するための重要な意味を持つ。
【０００３】
型枠内面から測定するかぶり厚さは、従来巻尺等の物差しを用いて行うか、あるいは専用の測定定規を用いて行われている。専用の測定定規としては、実用新案登録第３０７８１６９号の「鉄筋かぶり厚測定定規」がある。
【特許文献１】実用新案登録第３０７８１６９号
【考案の開示】
【考案が解決しようとする課題】
【０００４】
ところが、巻尺や専用の測定定規を用いた場合は、鉄筋の断面形状が丸いことをはじめとして、複雑な配筋の箇所においては型枠内面と最外縁鉄筋の正確な距離を読み取ることが困難であった。
【０００５】
本考案は、鉄筋かぶりの測定を正確に行うことができるとともに、計測時に読み値を手元にて確認することができる鉄筋コンクリート構造物かぶり厚さ測定器具を提供することを目的とする。
【課題を解決するための手段】
【０００６】
第１の考案は、型枠内面に当てる型枠側基準部とかぶりを測定する鉄筋に当てる鉄筋側測定部と器具を操作する持ち手部大と持ち手部小を備え、型枠側基準部を型枠内面に当てた状態で鉄筋側測定部を鉄筋の任意の位置にスライドさせることができ、型枠内面から測定点までの距離を鉄筋かぶり厚さとして示すことが出来る目盛りを備えていることである。
【０００７】
第２の考案は、型枠側基準部と鉄筋側測定部の根元から測定点までの腕の長さが６０ｍｍから１５０ｍｍまでの範囲の長さをもつことである。腕の長さが長いことにより、太径鉄筋や束ねた鉄筋のかぶり厚さを測定する場合に測定操作をスムーズに行うことができる。
【０００８】
第３の考案は、鉄筋かぶり厚さとして表示する目盛りは基準部根元付近目盛りと持ち手部付近目盛りが設けられていることである。基準部根元付近目盛りは、測定部の同一線上が基準部かぶり寸法読み取り箇所マークと一致しており、測定値の確認を容易に行うことができる。持ち手部付近目盛りは、基準部根元付近目盛り箇所が鉄筋等で煩雑になっている場合でも測定値を持ち手部付近で読み取ることが出来る。
【０００９】
第４の考案は、型枠側基準部と基準部根元付近目盛りの先端部との水平離隔が０ｍｍから１５ｍｍまでの範囲の離隔を持つことである。水平離隔を０ｍｍから１５ｍｍまでの範囲にとることで、型枠側基準部が確実に型枠面に押し当てられていることを確認できる。
【考案の効果】
【００１０】
本考案により、鉄筋コンクリート構造物かぶり厚さを測定するには、測定しようとするコンクリート型枠内面に型枠側基準部を当て、器具が鉄筋に対してほぼ直角となるように鉄筋側測定部を最外縁の鉄筋に当て、基準部かぶり寸法読み取りマークが示す基準部根元付近目盛りもしくは持ち手部付近かぶり寸法読み取り箇所マークが示す持ち手部付近目盛りを読み取ることで測定することができる。
【考案を実施するための最良の形態】
【００１１】
この考案を実施する場面は、土木及び建築工事の鉄筋コンクリート構造物および鉄骨鉄筋コンクリート構造物を築造する過程において、鉄筋及び鉄骨を所定の位置に組み立て、コンクリートを打設するための型枠を所定の位置に建て込んだ際、型枠内面と最外縁鉄筋との距離が所定の離隔が確保されているかを確認する際に実施する。
【００１２】
実施の形態は、まず組立が完了した鉄筋上もしくは格子の内側から、型枠内面に向かって型枠側基準部１をかぶり測定方向に当て、持ち手部大３と持ち手部小４を持って鉄筋側測定部２を最外縁の鉄筋にスライドさせ、固定ネジ５を締めて一時固定し、基準部かぶり寸法読み取り箇所マーク１０が示す基準部目盛り９を読み取るもしくは持ち手部付近かぶり寸法読み取り箇所マーク１２が示す持ち手部付近目盛り１１を読み取ることで鉄筋コンクリート構造物かぶり厚さ測定を行う。
【００１３】
実施するための最良の形態は、鉄筋組立完了後の鉄筋内の空間が限られている場合や型枠側に鉄筋が過密に配置されている場合に、型枠側基準部と鉄筋側測定部の根元から測定点までの腕の長さを利用したり、測定値を手元で読み取ることができることにある。
【００１４】
スライドさせる時は、持ち手部大３と持ち手部小４を手に持ち、目盛り側ガイド部７と鉄筋側ガイド部８に沿って移動させる。
【００１５】
スライドさせた時に、目盛り側ガイド７と鉄筋側ガイド８から持ち手部小４が外れることのないよう、外れ止め１３を備える。
【００１６】
スライドさせる時に、固定ネジ５が妨げとならないようにスリット部６を備える。
【図面の簡単な説明】
【００１７】
【図１】本考案による鉄筋かぶり厚測定器具の全体を示す正面図
【図２】本考案による鉄筋かぶり厚測定手法を示す説明図
【符号の説明】
【００１８】
１    型枠側基準部
２    鉄筋側測定部
３    持ち手部大
４    持ち手部小
５    固定ネジ
６    スリット
７    目盛り側ガイド
８    鉄筋側ガイド
９    基準部目盛り
１０  基準部かぶり寸法読み取り箇所マーク
１１  持ち手部付近目盛り
１２  持ち手部付近かぶり寸法読み取り箇所マーク
１３  外れ止め
１４  基準部根元付近目盛りの先端部
Ｌ    鉄筋かぶり厚さ
Ｌ１  根元から測定点までの腕の長さ
Ｌ２  水平離隔
Ｐ    かぶり読み取り箇所
Ｓ    鉄筋
Ｆ    型枠
【図１】
0003134672.tif 000003
【図２】
0003134672.tif 000004